(57)【要約】      （修正有）【課題】表面から見える発光表示を有し、全体を通して表面が均質なカーマットを提供する。【解決手段】上記カーマットは、主として、繊維布地よりなる上層３、プリント基板４、該プリント基板４と同じ厚さの充填層７、カーマットの裏面全体を覆うゴム製の裏面６を、粘着層８，９を介して接合して構成する。発光素子２は、カーマットに表示したい文字や図形などに合わせて、表面実装型の発光ダイオード５をプリント基板上に配置してなる。プリント基板への電気接続は、電線１３を経由して行うか、カーマットの金属留め具１２を経由して行う。【選択図】図２
0003148614.tif 000002
【実用新案登録請求の範囲】
【請求項１】
請求項１．自動車の足元スペースまたはトランク内に敷くのに適し、裏側に裏面（６）および表側に滑りにくい上層（３）を有するカーマットで、裏面（６）と上層（３）の間に多数の電光素子を備えたプリント基板（４）が挿入され、前記光素子にスイッチが入った状態において全体として発光表示（２）の形態で文字またはシンボルを表示し、これが上層（３）を通して見えることを特徴とするカーマット。
【請求項２】
請求項２．プリント基板（４）に隣接して、少なくともプリント基板の厚みと近似した充填層（７）が裏面（６）と上層（３）の間のすき間に挿入されていることを特徴とする請求項１に記載のカーマット。
【請求項３】
請求項３．充填層（７）が不織布または発泡材であることを特徴とする請求項２に記載のカーマット。
【請求項４】
請求項４．プリント基板（４）の電気接続が電線（１３）を経由してカーマット（１）に備え付けられた金属留め具（１２）と接続されていることを特徴とする上述の請求項の少なくとも１項に記載のカーマット。
【請求項５】
請求項５．前記光素子が表面実装型発光ダイオード（５）であることを特徴とする上述の請求項の少なくとも１項に記載のカーマット。
【請求項６】
請求項６．プリント基板（４）がプラスチック保護層で水を通さないように完全に覆われていることを特徴とする上述の請求項の少なくとも１項に記載のカーマット。
【請求項７】
請求項７．上層（３）がベロアまたは不織布から成るカーペットを有することを特徴とする上述の請求項の少なくとも１項に記載のカーマット。
【請求項８】
請求項８．上層（３）の繊維素材が導光ファイバーを含むことを特徴とする上述の請求項の少なくとも１項に記載のカーマット。
【請求項９】
請求項９．カーマット（１）の全体が粘着層（８、９）を介して互いに接合されていることを特徴とする上述の請求項の少なくとも１項に記載のカーマット。
【考案の詳細な説明】
【技術分野】
【０００１】  自動車の室内または荷台にも敷くことができるカーマットは周知である。自動車の足元スペースに用いられる場合、このカーマットはフロアマットとも呼ばれる。【０００２】周知のフロアマットは裏面がゴム面になっていることが多く、表面は不織布やベロア、またはその他の繊維素材からなる繊維製品でできている。前記フロアマットにおいて発光ダイオードを用いてブランド名を取り付けようとする際、これを表面に表示を取り付けることで実現することは基本的には可能である。表示をフロアマットの空いている部分にはめ込むという可能性もあろう。しかしながら、この種の表示の取り付け方では、フロアマットの繊維表面が遮断され、表示範囲において支持面が損なわれるという欠点がある。
【背景技術】
【０００３】適した光源を使う事により、フロアマットの均質な表層にはロゴ、表示、サンプルテキストなど目視できるようになる。
【考案の開示】
【考案が解決しようとする課題】
【０００４】本発明の根底をなす課題は、表面から見える発光表示を有する、全体を通して表面が均質なカーマットを作り出すことである。
【課題を解決するための手段】
【０００５】この課題は請求項１に記載した特徴によって解決される。本発明に従ったカーマットは、好ましくは繊維の滑りにくい上層とその下にある固い裏面との間に、スイッチを入れた状態のときにカーマットの上層を通して光が見えるような電光素子を有するプリント基板を少なくとも一つ有する。このようにして、適当な数の発光素子を並べて配置することによって、ロゴおよび／またはそれ以外のシンボルがカーマットの表面に見えるようにすることができる。
【考案の効果】
【０００６】本発明は、しかるべき発光表示を備えた、乗り物のフロア部分を覆うカーマットだけでなく、しかるべき素材で覆われた垂直面の領域にも相当に使用して構わない。それに加え、発光ダイオードを用いた場合、従来の繊維素材にはすでに十分な光透過性があり、そのため発光表示が十分に知覚可能であることから、多くの適用範囲について導光ファイバーの使用は必要ないことが明確に指示される。本発明に従って作成されたフロアマットは、自動車の足元領域において、暗いときには足元スペース全体を明るくすることができるため、追加の足元照明が不要となる。
【考案を実施するための最良の形態】
【０００７】好ましくは発光素子として発光ダイオードが用いられるが、この発光ダイオードは、表面実装型ダイオードの形態でとりわけ有利にプリント基板の表面上にはんだ付けされる。挿入されているプリント基板によってカーマットの表面に凹凸ができないように、裏側と上層の間のプリント基板に隣接するすき間に、少なくともおおよそプリント基板と同じ厚みを有する充填層が挿入されている。【０００８】充填層は、不織布またはこれに類似するものであり得るが、この際、重なり合って配置されている層全体および当然プリント基板も、平らな粘着層を用いて互いに貼り合わせることができる。【０００９】プリント基板の電気接続が、電線を経由して、カーマットに備え付けられた金属留め具と連結されている場合、とりわけ有利である。これによって、カーマットの留め具を経由して、プリント基板とこれに配置された電子機器に必要な電力を供給することができる。【００１０】湿気や塩水、および一般的な汚れからプリント基板を最適に保護できるようにするため、本発明の別の形態に従って、プラスチック保護層で水を通さないように完全にこれを覆う。【００１１】カーマットの上層はベロアまたは不織布から成る従来のカーペットであってよいが、その際、光がよりしっかり透けて見えるように、上層に用いる繊維素材はさらに導光ファイバーを含むことができる。
【実施例】
【００１２】図１に示したカーマット１は、ここで「ＡＵＴＯＭＡＲＫＥ」という文字で表されている発光表示２を備えている。図で示されたカーマット１はしかるべき形状をし、フロアマットとして自動車の足元スペースにはめ込まれている。ここで例として示されている発光表示２は、カーマット１の繊維上層３の下にあり、裏側は好ましくは例えばゴムのような固い裏面でも覆われる。【００１３】図１に示されているカーマット１の部分断面図を示した図２では、カーマット１の構造が詳しく見られる。発光表示２は、ここで点で示されている表面実装型の発光ダイオード５を有するプリント基板４で形成される。これに対し図３の平面図では、プリント基板４の表面にある発光ダイオード５が密に並べられ、発光表示２の文字を形成している様子がわかる。図２ではさらに、繊維布地の上層３が例としてベロア層で形成されていることがわかる。これに対しカーマット１の裏側は、カーマット１の裏側全体を覆うゴム製の裏面６で形成される。上層３と裏面６の間にある空間には、プリント基板４が挿入されるだけでなく、プリント基板４の厚みに相当する充填層７がプリント基板４に隣接している。充填層７は、固い発泡材または不織布またはこれに類似したものであり得る。カーマット１の構造を形成する層全体は、粘着層８、９で互いに接合されている。【００１４】プリント基板４は、図３で示されているように、別々に設置された接続線１０、１１を用いて自動車の電気系統に接続することができる。図２で示した実施例では、プリント基板４は金属留め具１２に電気的に接続されているが、これは押しボタンまたはボルト連結であってよい。プリント基板４への電気接続は破線１３で大まかに示されている。自動車のカーマットは通常２個以上の留め具１２で自動車の床に固定されるので、プリント基板４上にある電気素子への電力供給は、この少なくとも２個の留め具１２を通じて問題なく行うことができる。プリント基板４は、外部からの影響、特に湿気や汚れから最大限に保護するために、好ましくはここに詳しく示していないプラスチック保護層で完全に覆われている。さらに言及しておくと、表面実装型の発光ダイオード用の電子機器全体は、プリント基板４上に配置することができ、この際タイマー機能、調光機能、および節電機能をプリント基板４上に搭載することもできる。
【図面の簡単な説明】
【００１５】
【図１】いわゆるフロアマットとして形成されたカーマットの平面図
【図２】例として図１に示されたカーマットの断面図
【図３】図１および図２の実施例で用いられるプリント基板の部分平面図
【符号の説明】
【００１６】１  カーマット
２  発光表示
３  上層
４  プリント基板
５  表面実装型発光ダイオード
６  裏面
７  充填層
８  粘着層
９  粘着層
１０  接続線
１１  接続線
１２  金属留め具
１３  電線
【図１】
0003148614.tif 000003
【図２】
0003148614.tif 000004
【図３】
0003148614.tif 000005
【手続補正書】
【提出日】平成20年11月13日(2008.11.13)
【手続補正１】
【補正対象書類名】実用新案登録請求の範囲
【補正対象項目名】全文
【補正方法】変更
【補正の内容】
【実用新案登録請求の範囲】
【請求項１】
自動車の足元スペースまたはトランク内に敷くのに適し、裏側に裏面（６）および表側に滑りにくい上層（３）を有するカーマットで、裏面（６）と上層（３）の間に多数の電光素子を備えたプリント基板（４）が挿入され、前記光素子にスイッチが入った状態において全体として発光表示（２）の形態で文字またはシンボルを表示し、これが上層（３）を通して見えることを特徴とするカーマット。
【請求項２】
プリント基板（４）に隣接して、少なくともプリント基板の厚みと近似した充填層（７）が裏面（６）と上層（３）の間のすき間に挿入されていることを特徴とする請求項１に記載のカーマット。
【請求項３】
充填層（７）が不織布または発泡材であることを特徴とする請求項２に記載のカーマット。
【請求項４】
プリント基板（４）の電気接続が電線（１３）を経由してカーマット（１）に備え付けられた金属留め具（１２）と接続されていることを特徴とする請求項１から３のいずれかに記載のカーマット。
【請求項５】
前記光素子が表面実装型発光ダイオード（５）であることを特徴とする請求項１から４のいずれかに記載のカーマット。
【請求項６】
プリント基板（４）がプラスチック保護層で水を通さないように完全に覆われていることを特徴とする請求項１から５のいずれかに記載のカーマット。
【請求項７】
上層（３）がベロアまたは不織布から成るカーペットを有することを特徴とする請求項１から６のいずれかに記載のカーマット。
【請求項８】
上層（３）の繊維素材が導光ファイバーを含むことを特徴とする請求項１から７のいずれかに記載のカーマット。
【請求項９】
カーマット（１）の全体が粘着層（８、９）を介して互いに接合されていることを特徴とする１から８の請求項のいずれかに記載のカーマット。